(57)【要約】【課題】コンパクトで経済的な実用の効果を達成できる腰部、腹部、腿部フィットネス器具を提供する。【解決手段】腰部、腹部、腿部フィットネス器具はフロア面或いはイス上に置くことができる台座１で、その前端部位には水平回転が可能な枢転台２を枢接し、枢転台２前方には伸縮及び上下に持ち上げ可能なポールフレーム体３をさらに枢接する。ポールフレーム体３前端には底部にキャスター４０を有する横方向足掛け台４を固定する。台座１をフロア面上にセットし、使用者は両膝を台座１につき両手で足掛け台を握り、キャスター４０のスライドによりポールフレーム体３の左右旋回を連動し、腰、腹、腕力運動の作用を達成する。台座１をイス或いは階段上に置き、台座１上に座り、両足を足掛け台４に掛け、腿部及び腰部、腹部によりポールフレーム体３を連動及び持ち上げ、上下左右に旋回させ、腰部、腹部、腿部運動の作用を達成する。【選択図】図１
0003209069.tif 000002
【実用新案登録請求の範囲】
【請求項１】
腰部、腹部、腿部フィットネス器具であって、台座、枢転台、ポールフレーム体及び足掛け台を組み合わせて構成され、
前記台座は、フロア面やイス上に置くことができるクッション体で、その前端部位には、水平回転可能な枢転台を枢接し、
前記枢転台前方には、上下に持ち上げられるポールフレーム体をさらに枢接し、
前記ポールフレーム体前端には、横方向足掛け台を固定することを特徴とする腰部、腹部、腿部フィットネス器具。
【請求項２】
前記ポールフレーム体は、伸縮可能構造であることを特徴とする請求項１に記載の腰部、腹部、腿部フィットネス器具。
【請求項３】
前記足掛け台底部には、キャスターを有することを特徴とする請求項１に記載の腰部、腹部、腿部フィットネス器具。
【請求項４】
前記台座両側には、ハンドルを取り付けることを特徴とする請求項１に記載の腰部、腹部、腿部フィットネス器具。
【請求項５】
前記足掛け台上には、プルワイヤーを掛けて設置することを特徴とする請求項１に記載の腰部、腹部、腿部フィットネス器具。
【考案の詳細な説明】
【技術分野】
【０００１】
本考案は腰部、腹部、腿部フィットネス器具に関し、特に腰、腹及び腿部の運動と鍛錬に対して研究設計され、フロア面或いはイス上に置くことができる台座で、その前端部位には水平回転が可能な枢転台を枢接し、枢転台前方には伸縮及び上下に持ち上げ可能なポールフレーム体をさらに枢接し、ポールフレーム体前端には底部にキャスターを有する横方向足掛け台を固定し、藉台座をフロア面上にセットし、使用者は両膝を台座につき両手で足掛け台を握り、キャスターのスライドによりポールフレーム体の左右旋回を連動し、腰、腹、腕力運動の作用を達成し、台座をイス或いは階段上に置き、台座上に座り、両足を足掛け台に掛け、腿部及び腰部、腹部によりポールフレーム体を連動及び持ち上げ上下左右に旋回させ、腰部、腹部、腿部運動の作用を達成し、コンパクトで経済的な実用の効果を達成できる腰部、腹部、腿部フィットネス器具に関する。
【背景技術】
【０００２】
食生活の乱れや運動場所と運動量の不足に危機感を感じている現代人は、健康をますます重視するようになっている。こうして、フィットネス器具が生まれた。
しかし現在、腰部、腹部、腿部の鍛練を兼ね備える多機能フィットネス器具は少なく、或いはあっても高価で重く、また体積が大きいため、収納スペースを占拠するという欠点があり、改良の必要がある。
【考案の概要】
【考案が解決しようとする課題】
【０００３】
前記先行技術には、腰部、腹部、腿部の鍛練を兼ね備える多機能フィットネス器具は少なく、或いはあっても高価で重く、また体積が大きいため、収納スペースを占拠するという欠点がある。
【課題を解決するための手段】
【０００４】
本考案による腰部、腹部、腿部フィットネス器具は、フロア面或いはイス上に置くことができる台座で、その前端部位には、水平回転が可能な枢転台を枢接し、該枢転台前方には、伸縮及び上下に持ち上げ可能なポールフレーム体をさらに枢接し、該ポールフレーム体前端には、底部にキャスターを有する横方向足掛け台を固定する。
【０００５】
本考案による腰部、腹部、腿部フィットネス器具は、フロア面或いはイス上に置くことができる台座で、該前端部位には、水平回転が可能な枢転台を枢接し、該枢転台前方には、伸縮及び上下に持ち上げられるポールフレーム体を枢接し、ポールフレーム体前端には、底部にキャスターを有する横方向足掛け台を固定する。
【考案の効果】
【０００６】
該台座をフロア面上にセットし、使用者は両膝を台座につき両手で足掛け台を握り、キャスターのスライドによりポールフレーム体の左右旋回を連動し、腰、腹、腕力運動の作用を達成し、コンパクトで経済的な実用の効果を達成できる。
【０００７】
該台座をイス或いは階段上に置き、台座上に座り、両足を足掛け台に掛け、腿部及び腰部、腹部によりポールフレーム体を連動及び持ち上げ、上下左右に旋回させることで、腰部、腹部、腿部運動の作用を達成する。こうして本考案は、コンパクトで経済的な実用の効果を達成できる。
【図面の簡単な説明】
【０００８】
【図１】本考案実施形態の立体図である。
【図２】本考案実施形態の立体分解図である。
【図３】本考案の使用実施形態の立体模式図である。
【図４】本考案の使用実施形態の立体模式図である。
【図５】本考案の使用実施形態の立体模式図である。
【図６】本考案の使用実施形態の立体模式図である。
【図７】本考案の使用実施形態の立体模式図である。
【図８】本考案の使用実施形態の立体模式図である。
【図９】本考案の使用実施形態の立体模式図である。
【図１０】本考案の使用実施形態の立体模式図である。
【図１１】本考案の使用実施形態の立体模式図である。
【図１２】本考案の使用実施形態の立体模式図である。
【図１３】本考案の使用実施形態の立体模式図である。
【図１４】本考案の使用実施形態の立体模式図である。
【図１５】本考案の使用実施形態の立体模式図である。
【図１６】本考案の使用実施形態の立体模式図である。
【考案を実施するための形態】
【０００９】
図１〜図１６に示す通り、本考案は、台座１、枢転台２、ポールフレーム体３及び足掛け台４を有する。
台座１は、フロア面或いはイス上に置くことができるクッション体で、その前端部位には、水平回転可能な枢転台２を枢接する。
枢転台２前方には、伸縮及び上下に持ち上げ可能なポールフレーム体３をさらに枢接し、ポールフレーム体３前端には、底部にキャスター４０を有する横方向足掛け台４を固定する。
使用の便のため、台座１両側にはハンドル１０を取り付け、足掛け台４上には、プルワイヤー（図示なし）を取り付ける。これにより、使用者は、手で腿部を補助し、ポールフレーム体３引き上げ運動を行うことができる。
【００１０】
実際の使用時には、使用者は、台座１をフロア面上に置き、ポールフレーム体３の長さを調整し、両膝を台座１につき、両手で足掛け台４を握り、ポールフレーム体３を引き上げ、枢転台２を枢転中心とし、キャスター４０により左右にスライド旋回し、腰、腹、腕力運動の作用を達成する。
【００１１】
また、台座１を、イス或いは階段上に置き、ポールフレーム体３の長さを調整し、台座１上に座り、両足を足掛け台４に掛け、腰部、腹部及び腿部或いは両手で、足掛け台４上に掛けたプルワイヤーを引き、ポールフレーム体３の引き上げを連動する。こうして、枢転台２を回転の中心とし上下左右に旋回させ、腰部、腹部、腿部運動の作用を達成する。
【００１２】
使用後には、簡単に分解でき、体積を縮小して、保管、包装、輸送に便利で、収納と使用の際にはコンパクトで、構造がシンプルな経済的利益を備える。
【００１３】
本考案の構造及び装置は、市場及び刊行物上で未知で、腰部、腹部、腿部の訓練を達成できる効果の他に、収納と使用の際にはコンパクトで、構造がシンプルな経済的利益を備える。
【００１４】
本考案の多くの修飾と具体化はこの領域の技術者により容易に本考案を理解させられ、これにより本考案は特定の実施例或いは上述の実施例の修飾に限定されず、且つ本文に採用される特定の用語は、ただ記述を容易とするためのものであって、制限を加えるためのものではない。
【符号の説明】
【００１５】
１  台座
２  枢転台
３  ポールフレーム体
４  足掛け台
１０  ハンドル
４０  キャスター
【図１】
0003209069.tif 000003
【図２】
0003209069.tif 000004
【図３】
0003209069.tif 000005
【図４】
0003209069.tif 000006
【図５】
0003209069.tif 000007
【図６】
0003209069.tif 000008
【図７】
0003209069.tif 000009
【図８】
0003209069.tif 000010
【図９】
0003209069.tif 000011
【図１０】
0003209069.tif 000012
【図１１】
0003209069.tif 000013
【図１２】
0003209069.tif 000014
【図１３】
0003209069.tif 000015
【図１４】
0003209069.tif 000016
【図１５】
0003209069.tif 000017
【図１６】
0003209069.tif 000018